(57)【要約】      （修正有）【課題】手間がかからず、人の腕を保護でき、使用の安全性を向上する材料均平装置を提供する。【解決手段】材料均平装置は、套筒７と、套筒の両端にそれぞれ摺動可能に挿接される接続リンク５とを含み、套筒と接続リンクの下面にそれぞれ分配ユニット６が着脱可能に取付けられており、分配ユニットはそれぞれ広げ棒、ゴムボール、スリーブ、および凸歯を含み、広げ棒の底端にゴムボールが外套されており、接続リンクの自由端にスライダー４が固定的に接続されており、スライダーは案内板３内に摺動可能に挿接されており、案内板の下面に支持足２が固定的に接続されており、支持足の底端に吸盤１が固定的に接続されている。繰り返し套筒を推し引きすると、分配ユニットにより集まった材料を分配して展敷することができる。案内板の案内溝の内壁に対称的にバネシートが取付けられ、バネシートによって衝撃力を緩和減少する。【選択図】図１
0003233031.tif 000002
【実用新案登録請求の範囲】
【請求項１】
套筒（７）と、前記套筒（７）の両端にそれぞれ摺動可能に挿接される接続リンク（５
）とを含み、前記套筒（７）と接続リンク（５）の下面にそれぞれ分配ユニット（６）が
着脱可能に取付けられており、前記分配ユニット（６）はそれぞれ広げ棒（９）、ゴムボ
ール（１０）、スリーブ（１１）、および凸歯（１２）を含み、前記広げ棒（９）の底端
にゴムボール（１０）が外套されており、前記接続リンク（５）の自由端にスライダー（
４）が固定的に接続されており、前記スライダー（４）は案内板（３）内に摺動可能に挿
接されており、前記案内板（３）の下面に支持足（２）が固定的に接続されており、前記
支持足（２）の底端に吸盤（１）が固定的に接続されていることを特徴とする材料均平装
置。
【請求項２】
前記套筒（７）の上面に推し引きハンドル（７０１）がはんだ付け接続されていることを
特徴とする請求項１に記載の材料均平装置。
【請求項３】
前記套筒（７）の上面における両側壁寄りの位置にそれぞれロック手回しハンドル（７０
２）が螺挿されていることを特徴とする請求項１に記載の材料均平装置。  
【請求項４】
前記案内板（３）の案内溝の内壁に対称的にバネシート（３０１）が取付けられているこ
とを特徴とする請求項１に記載の材料均平装置。
【請求項５】
前記広げ棒（９）の外壁における頂端寄りの位置にスリーブ（１１）が固定的に接続され
ていることを特徴とする請求項１に記載の材料均平装置。
【請求項６】
前記スリーブ（１１）の外壁に凸歯（１２）が均一に配布されていることを特徴とする請
求項５に記載の材料均平装置。
【請求項７】
前記套筒（７）と接続リンク（５）の下面にそれぞれネジ溝（８）が開設されていること
を特徴とする請求項１に記載の材料均平装置。
【請求項８】
前記広げ棒（９）の頂端がネジ溝（８）内に螺挿されていることを特徴とする請求項７に
記載の材料均平装置。
【請求項９】
前記分配ユニット（６）は複数個備えられていることを特徴とする請求項１に記載の材料
均平装置。
【請求項１０】
前記分配ユニット（６）は２個の前記支持足（２）の間に位置されていることを特徴と
する請求項９に記載の材料均平装置。
【考案の詳細な説明】
【技術の分野】
【０００１】
本実用新案は材料生産加工の補助装置分野に関するもので、具体的に材料均平装置に関
する。
【従来の技術】
【０００２】
ここで、材料は、農業分野では、トウモロコシ、小麦などの顆粒物と見なすのが良い。農
産物の実際加工では、袋に詰めた粒状材料を回転枠内に流し込み、さらなる加工処理を進
むのが一般的である。
【０００３】
ところが、従来の材料均平装置は以下の欠点を有する。
・袋包装の材料が回転枠内に流れ込む時に、山のように枠内に集まる。この場合、人手で
粒状材料を均均的に枠内の底部に敷いて均平する必要がある。枠底部はある程度大きく、
長期的に働いたら、手に不快感を与えるので、生産効率が大幅に低下する。
・各規格の回転枠は内底の面積が様々であるので、材料を快速的に均平するのが容易であ
らず、手間がかかる。
【考案の概要】
【０００４】
本実用新案の目のは、背景の技術に記載のように、従来の材料均平装置では、袋包装の
材料が回転枠内に流れ込む時に、山のように枠内に集まるので、人手で粒状材料をにそれ
ぞれ均的に枠内の底部に敷いて均平する必要があるが、枠底部はある程度大きく、長期的
に働いたら、手に不快感を与えるので、生産効率が大幅に低下する、また、各規格の回転
枠は内底の面積が様々であるので、材料を快速的に均平するのが容易であらず、手間がか
かる、という欠点を克服できる材料均平装置を提供することにある。
【０００５】
上記の目のを実現するために、本実用新案は、下記の材料均平装置を提供する。該材料均
平装置は、套筒と、前記套筒の両端にそれぞれ摺動可能に挿接される接続リンクとを含み
、前記套筒と接続リンクの下面にそれぞれ分配ユニットが着脱可能に取付けられており、
前記分配ユニットはそれぞれ広げ棒、ゴムボール、スリーブ、および凸歯を含み、前記広
げ棒の底端にゴムボールが外套されており、前記接続リンクの自由端にスライダーが固定
的に接続されており、前記スライダーは案内板内に摺動可能に挿接されており、前記案内
板の下面に支持足が固定的に接続されており、前記支持足の底端に吸盤が固定的に接続さ
れている。吸盤によって回転枠を支持する両側の支持面に付着固定する。案内板は接続リ
ンクおよび套筒に支持力を提供し、套筒を推し引きすると、接続リンクが同期に移動する
。繰り返し套筒を推し引きする過程では、分配ユニットにより集まった材料を分配して展
敷することができるので、手間がかからない。套筒に対して接続リンクを両側へ推し引き
する、またロック固定することにより、均平の及ぶ面積を調整することができ、適用性が
さらに広範囲に及ぶ。
【０００６】
好ましくは、前記套筒の上面に推し引きハンドルがはんだ付け接続されている。
【０００７】
好ましくは、前記套筒の上面における両側壁寄りの位置にそれぞれロック手回しハンドル
が螺挿されている。推し引きハンドルによって套筒に推力を加える。吸盤によって回転枠
を支持する両側の支持面に付着固定する。套筒を推し引きすると、接続リンクが同期に移
動し、案内板に対して水平に摺動する。繰り返し套筒を推し引きする過程では、分配ユニ
ットにより集まった材料を分配して展敷することができるので、手間がかからない。
【０００８】
好ましくは、前記案内板の案内溝の内壁に対称的にバネシートが取付けられている。バネ
シートによってスライダーを位置限定および緩和する。套筒を案内板の案内溝両端位置程
度まで推すと、バネシートによって衝撃力を緩和減少する。これにより人の腕を保護でき
、使用の安全性を向上する。  
【０００９】
好ましくは、前記広げ棒の外壁における頂端寄りの位置にスリーブが固定的に接続されて
いる。
【００１０】
好ましくは、前記スリーブの外壁に凸歯が均一に配布され、広げ棒の外壁における頂端寄
りの位置にスリーブが固定的に接続されることにより、使用者がスリーブを握って広げ棒
を回し、広げ棒の付け外しをすることができる。凸歯によって手との摩擦力を上げ、回動
効果を向上する。  
【００１１】
好ましくは、前記套筒と接続リンクの下面にそれぞれネジ溝が開設されている。
【００１２】
好ましくは、前記広げ棒の頂端はネジ溝内に螺挿されている。套筒と接続リンクの下面に
それぞれネジ溝が開設されることにより、実際によって広げ棒の数を増減することができ
、調整のフレキシビリティが向上する。
【００１３】
好ましくは、前記分配ユニットは複数個備えられている。
【００１４】
好ましくは、前記分配ユニットは２個の前記支持足の間に位置されている。支持足によっ
て分配ユニットに支持力を提供する。
【００１５】
従来の技術と比べて、本実用新案の有益な効果は以下の通りである。
（１）本実用新案では、套筒両端にそれぞれ接続リンクが摺動可能に挿接される。接続リ
ンクの自由端にスライダーが固定的に接続される。スライダーは案内板内に摺動可能に挿
接される。案内板の下面に支持足が固定的に接続される。支持足の底端に吸盤が固定的に
接続される。吸盤によって回転枠を支持する両側の支持面に付着固定する。案内板は接続
リンクおよび套筒に支持力を提供し、套筒を推し引きすると、接続リンクが同期に移動す
る。繰り返し套筒を推し引きする過程では、分配ユニットにより集まった材料を分配して
展敷することができるので、手間がかからない。案内板の案内溝の内壁に対称的にバネシ
ートが取付けられている。バネシートによってスライダーを位置限定および緩和する。套
筒を案内板の案内溝の両端位置程度まで推すと、バネシートによって衝撃力を緩和減少す
る。これにより人の腕を保護でき、使用の安全性を向上する。
【００１６】
（２）本実用新案では、套筒の両端にそれぞれ接続リンクが摺動可能に挿接されている。
套筒の上面に推し引きハンドルがはんだ付け接続されている。套筒の上面における両側壁
寄りの位置にそれぞれロック手回しハンドルが螺挿されている。套筒と接続リンクの下面
にそれぞれ着脱可能に分配ユニットが取付けられている。分配ユニットはそれぞれ広げ棒
、ゴムボール、スリーブおよび凸歯を含む。分配ユニットの広げ棒は接続リンクと套筒の
下方に螺挿される。回転枠の幅によって、分配ユニット６の数を増減する。取り外し操作
が終わってから、套筒に対して接続リンクを両側へ推し引きする、またロック手回しハン
ドルによって接続リンクをロック固定する。これにより均平動作の及ぶ面積を調整し、各
幅の回転箱に合わせて使用する。これにより適用性がさらに広範囲に及ぶ。分配ユニット
はそれぞれ広げ棒、ゴムボール、スリーブおよび凸歯を含む。分配の過程では、広げ棒の
底部と材料の間は磨損が発生する恐れがあるので、広げ棒の底端にゴムボールを套設する
ことにより、広げ棒の底部を保護し磨損を防止する。一定期間に使用されると、もしゴム
ボールが磨損されたら、早めに交換することができ、使用性を向上する。
【図面の簡単な説明】
【００１７】
【図１】本実用新案の材料均平装置の全体模式図。
【図２】本実用新案の材料均平装置の案内板の側面模式図。
【図３】本実用新案の材料均平装置の分配ユニットと套筒の接続の模式図。
【図４】本実用新案の材料均平装置の分配ユニット模式図。
【考案を実施するための形態】
【００１８】
図１〜４に示されるように、本実用新案は材料均平装置を提供する。該材料均平装置は、
套筒７と、前記套筒７の両端にそれぞれ摺動可能に挿接される接続リンク５とを含み、
前記套筒７と接続リンク５の下面にそれぞれ分配ユニット６が着脱可能に取付けられてお
り、前記分配ユニット６はそれぞれ広げ棒９、ゴムボール１０、スリーブ１１、および凸
歯１２を含み、前記広げ棒９の底端にゴムボール１０が外套されており、前記接続リンク
５の自由端にスライダー４が固定的に接続されており、前記スライダー４は案内板３内に
摺動可能に挿接されており、前記案内板３の下面に支持足２が固定的に接続されており、
前記支持足２の底端に吸盤１が固定的に接続されている。吸盤１によって回転枠を支持す
る両側の支持面に付着固定する。案内板３は接続リンク５および套筒７に支持力を提供し
、套筒７を推し引きすると、接続リンク５が同期に移動する。繰り返し套筒７を推し引き
する過程では、分配ユニット６により集まった材料を分配して展敷することができるので
、手間がかからない。套筒７に対して接続リンク５を両側へ推し引きする、またロック固
定することにより、均平の面積を調整することができ、適用性がさらに広範囲に及ぶ。
【００１９】
前記套筒７の上面に推し引きハンドル７０１がはんだ付け接続されている。
【００２０】
前記套筒７の上面における両側壁寄りの位置にそれぞれロック手回しハンドル７０２が螺
挿されている。推し引きハンドル７０１によって套筒７に推力を加える。吸盤１によって
回転枠を支持する両側の支持面に付着固定する。套筒７を推し引きすると、接続リンク５
が同期に移動し、案内板３に対して水平に摺動する。繰り返し套筒７を推し引きする過程
では、分配ユニット６により集まった材料を分配して展敷することができるので、手間が
かからない。
【００２１】
前記案内板３の案内溝の内壁に対称的にバネシート３０１が取付けられている。バネシー
ト３０１によってスライダー４を位置限定および緩和する。套筒７を案内板３の案内溝両
端位置程度まで推すと、バネシート３０１によって衝撃力を緩和減少する。これにより人
の腕を保護でき、使用の安全性を向上する。  
【００２２】
前記広げ棒９の外壁における頂端寄りの位置にスリーブ１１が固定的に接続されている。
【００２３】
前記スリーブ１１の外壁に凸歯１２が均一に配布され、広げ棒９の外壁における頂端寄り
の位置にスリーブ１１が固定的に接続されることにより、使用者がスリーブ１１を握って
広げ棒９を回し、広げ棒９の付け外しをすることができる。凸歯１２は、手の摩擦力を上
げ、回動効果を向上する。  
【００２４】
前記套筒７と接続リンク５の下面にそれぞれネジ溝８が開設されている。
【００２５】
前記広げ棒９の頂端はネジ溝８内に螺挿されている。套筒７と接続リンク５の下面にそれ
ぞれネジ溝８が開設されることにより、実際によって広げ棒９の数を増減することができ
、調整のフレキシビリティが向上する。
【００２６】
前記分配ユニット６は複数個備えられている。
【００２７】
前記分配ユニット６は２個の前記支持足２の間にに位置されている。支持足２によって分
配ユニット６に支持力を提供する。
【００２８】
本考案材料均平装置の動作に関しては、下記のとおり特筆すべきである。
套筒７の両端にそれぞれ接続リンク５が摺動可能に挿接されている。套筒７と接続リンク
５の下面にそれぞれ着脱可能に分配ユニット６が取付けられている。套筒７の上面に推し
引きハンドル７０１がはんだ付け接続されている。套筒７の上面における両側壁寄りの位
置にそれぞれロック手回しハンドル７０２が螺挿されている。回転枠（箱）の幅によって
、接続リンク５の下面に分配ユニット６を一定数個取り付けるや、一定数個取り外すこと
ができる。広げ棒９の外壁における頂端寄りの位置にスリーブ１１が固定的に接続されて
いる。スリーブ１１の外壁に凸歯１２が均一に配布されている。取り外す時に、広げ棒９
の外壁における頂端寄りの位置に固定的に接続されるスリーブ１１を使用者が握って広げ
棒９を回すことができる。取り外し操作が終わってから、套筒７に対して接続リンク５を
両側へ推し引きする、またロック手回しハンドル７０２によって接続リンク５をロック固
定する。これにより均平動作の及ぶ面積を調整する。吸盤１によって回転枠を支持する両
側の支持面に付着固定する。套筒７を推し引きすると、接続リンク５が同期に移動し、案
内板３に対して水平に摺動する。繰り返し套筒７を推し引きする過程では、分配ユニット
６により集まった材料を分配して展敷することができるので、手間がかからない。分配ユ
ニット６はそれぞれ広げ棒９、ゴムボール１０、スリーブ１１および凸歯１２を含む。分
配の過程では、広げ棒９の底部と材料の間は磨損が発生する恐れがあるので、広げ棒９の
底端にゴムボール１０を套設することにより、広げ棒９の底部を保護し磨損を防止する。
長期間使用にわたってゴムボール１０が磨損されたら、早めに交換することができ、使用
性を向上する。案内板３の案内溝の内壁に対称的にバネシート３０１が取付けられている
。バネシート３０１によってスライダー４を位置限定および緩和する。套筒７を案内板３
の案内溝の両端位置程度まで推すと、バネシート３０１によって衝撃力を緩和減少する。
これにより人の腕を保護でき、使用の安全性を向上する。
【符号の説明】
【００２９】
１  吸盤
２  支持足
３  案内板
３０１  バネシート
４  スライダー
５  接続リンク
６  分配ユニット
７  套筒
７０１  推し引きハンドル
７０２  ロック手回しハンドル
８  ネジ溝
９  広げ棒
１０  ゴムボール
１１  スリーブ
１２  凸歯
【図１】
0003233031.tif 000003
【図２】
0003233031.tif 000004
【図３】
0003233031.tif 000005
【図４】
0003233031.tif 000006